(57)【要約】  【課題】      被検者の口腔内における検体を測定し、この検体中の各種イオンの濃度に基づいて虫歯または歯周病の罹患リスクを評価することができ、これによって口腔内の健康状態を診断することができるようにした口腔内健康状態維持能力の評価方法および評価装置を提供すること。  【解決手段】  被検者の口腔内の検体２に含まれる複数の異なるイオンのイオン濃度を測定し、これらのイオン濃度から検体の酸緩衝能および／または再石灰化能を求め、この酸緩衝能および／または再石灰化能をパラメータとして用いて口腔内の健康維持能力を評価する。  【選択図】    図１
2005331341.tif 000002
【特許請求の範囲】
【請求項１】
被検者の口腔内の検体に含まれる複数の異なるイオンのイオン濃度を測定し、これらのイオン濃度から検体の酸緩衝能および／または再石灰化能を求め、この酸緩衝能および／または再石灰化能をパラメータとして用いて口腔内の健康維持能力を評価することを特徴とする口腔内健康維持能力の評価方法。
【請求項２】
パラメータが検体の酸緩衝能であり、この酸緩衝能を、炭酸イオンまたは炭酸水素イオンのイオン濃度と、リン酸イオン、リン酸水素イオン、リン酸二水素イオンのいずれかのイオン濃度とから求めるようにした請求項１に記載の口腔内健康維持能力の評価方法。
【請求項３】
パラメータが再石灰化能であり、この再石灰化能を、リン酸イオン、リン酸水素イオン、リン酸二水素イオンのいずれかのイオン濃度と、カルシウムイオンのイオン濃度とから求めるようにした請求項１または２に記載の口腔内健康維持能力の評価方法。
【請求項４】
検体に含まれるフッ化物イオンのイオン濃度を測定し、その測定値を再石灰化能の演算に加味する請求項３に記載の口腔内健康状態維持能力の評価方法。
【請求項５】
被検者の口腔内の検体に含まれるリン酸イオン、リン酸水素イオン、リン酸二水素イオンのいずれかのイオン濃度と、炭酸イオンまたは炭酸水素イオンのイオン濃度と、カルシウムイオンのイオン濃度とを測定し、これらのイオン濃度から口腔内の健康維持能力を評価するパラメータを求めることを特徴とする口腔内健康維持能力の評価方法。
【請求項６】
検体のｐＨを測定し、この測定値によって、リン酸イオン、リン酸水素イオン、リン酸二水素イオン、炭酸イオン、炭酸水素イオンのイオン濃度を補正する請求項２〜５の何れかに記載の口腔内健康維持能力の評価方法。
【請求項７】
検体に接触させることによってこれに含まれる複数の異なるイオンのイオン濃度をそれぞれ測定する測定部と、測定部によって測定された各イオン濃度の測定値から検体の酸緩衝能および／または再石灰化能を求め、この酸緩衝能および／または再石灰化能をパラメータとして用いて口腔内の健康維持能力を評価するための演算処理を行う演算処理部とを有することを特徴とする口腔内健康維持能力の評価装置。
【請求項８】
検体に接触させることによってこれに含まれるリン酸イオン、リン酸水素イオン、リン酸二水素イオンのいずれかのイオン濃度、炭酸イオンまたは炭酸水素イオンのイオン濃度、カルシウムイオンのイオン濃度をそれぞれ測定する測定部と、測定部によって測定された各イオン濃度の測定値から口腔内の健康維持能力を評価するパラメータを求める演算処理部とを有することを特徴とする口腔内健康維持能力の評価装置。
【請求項９】
測定部が、検体に含まれるリン酸イオン、リン酸水素イオン、リン酸二水素イオンのいずれかのイオン、炭酸イオンまたは炭酸水素イオン、カルシウムイオンのそれぞれに反応して各イオンのイオン濃度に応じて光学的特性が変化する指示薬を検体と接触させる指示薬接触領域と、この指示薬接触領域における光学的特性の変化を検出する光検出器と、この光検出器によって検出した指示薬接触領域における光学的特性の変化からイオン濃度を求める濃度演算部とを備えている請求項７または８に記載の口腔内健康維持能力の評価装置。
【請求項１０】
パラメータが検体の酸緩衝能であり、前記演算処理部が、酸緩衝能を、炭酸イオンまたは炭酸水素イオンのイオン濃度と、リン酸イオン、リン酸水素イオン、リン酸二水素イオンのいずれかのイオン濃度とから求めるものである請求項７〜９の何れかに記載の口腔内健康維持能力の評価装置。
【請求項１１】
パラメータが再石灰化能であり、前記演算処理部が、再石灰化能を、リン酸イオン、リン酸水素イオン、リン酸二水素イオンのいずれかのイオン濃度と、カルシウムイオンのイオン濃度とから求めるものである請求項７〜１０のいずれかに記載の口腔内健康維持能力の評価装置。
【請求項１２】
前記測定部は検体に含まれるフッ化物イオンのイオン濃度を測定することができると共に、前記演算処理部が、フッ化物イオンのイオン濃度の測定値を再石灰化能の演算に加味して求めるものである請求項１１に記載の口腔内健康維持能力の評価装置。
【請求項１３】
前記測定部に検体のｐＨを求めるｐＨ測定部が形成されてなり、演算処理部が、ｐＨの測定値によって、リン酸イオン、リン酸水素イオン、リン酸二水素イオン、炭酸イオン、炭酸水素イオンのイオン濃度を補正するものである請求項８〜１２の何れかに記載の口腔内健康維持能力の評価装置。
【発明の詳細な説明】
【技術分野】
【０００１】
本発明は、口腔内健康維持能力の評価方法および評価装置に関する。
【背景技術】
【０００２】
従来より、被検者の口腔内の健康状態を診断するために、口腔内を歯科医が直接視診することが行われている。また、虫歯にかかり易い状態にあるかどうかを判断するために、被検者の口腔内から採取した唾液などの検体を用いて歯のう蝕罹患リスク（一般的に、Caries Activity Testと呼ばれている）の評価が行われている。
【０００３】
つまり、口腔内の健康維持を促進するために、特に歯牙のう蝕予防の指標として唾液の性状を測定することがあり、例えば、歯牙のう蝕予防の指標として有効な酸緩衝能を測定することがある。特許文献１には、唾液の酸緩衝能を簡易的に測定する手法として、唾液に所定量の酸を含む酸緩衝能指示薬を接触させてその色の変化から唾液の酸緩衝能を検出する方法が考えられている。
【０００４】
一方、特許文献２，３は、唾液や歯垢などの検体の酸緩衝能の測定をｐＨの測定値によって求める方法を示している。すなわち、検体に乳酸や塩酸水溶液などの規定量の酸を滴下した後に、特許文献２の図３に示すように、横軸を酸滴下量、縦軸をｐＨ値としたグラフを作成していた。この二次元グラフに基づいて酸液の滴下を行うことにより、より正確に酸緩衝能を測定することが行われている。また、簡易的には、ある一定量の酸を滴下した場合のｐＨの変化から、前記二次元グラフの知見に基づいてカリエスリスクを推定している。
【特許文献１】特開２００３−８３９６１号公報
【特許文献２】特開２００３−３０２３９８号公報
【特許文献３】特開２００３−２０２３１７号公報
【発明の開示】
【発明が解決しようとする課題】
【０００５】
ところが、特許文献１のように色の変化から唾液の酸緩衝能を測定する場合には、この酸緩衝能を数値的な測定結果を出すのが難しく、測定結果の正確さに問題があった。一方、特許文献２，３のように検体に対して酸を滴下した後にｐＨの変化を測定する方法は数値的な測定結果が得られる。
【０００６】
しかしながら、特許文献１〜３のものはいずれも酸緩衝能を示す正確なグラフを作成するためには、酸の滴下の回数分だけ測定に時間がかかり、検体と酸との混合が十分に行われるまで待つ必要があるので、測定に時間がかかるという共通の問題があった。また、従来の方法は何れも検体の酸緩衝能を適当な酸と接触させたときのｐＨの変化から、検体の酸緩衝能を測定するものであるから、口腔内と同じ条件で検体の酸緩衝能を発揮させることができる適当な酸を選択するのが難しいという問題もある。
【０００７】
加えて、口腔内の健康維持能力は酸緩衝能だけで定まるものではなく、例えばカルシウムとリン酸による再石灰化能も重要な要素となるが、従来はこの検体の再石灰化能を測定することができなかった。
【０００８】
本発明は上述の事柄に留意してなされたもので、その目的は、被検者の口腔内における検体を測定し、この検体中の各種イオンの濃度に基づいて虫歯または歯周病の罹患リスクを評価することができ、これによって口腔内の健康状態を診断することができるようにした口腔内健康状態維持能力の評価方法および評価装置を提供することである。
【課題を解決するための手段】
【０００９】
上記目的を達成するために、第１発明の口腔内健康維持能力の評価方法は、被検者の口腔内の検体に含まれる複数の異なるイオンのイオン濃度を測定し、これらのイオン濃度から検体の酸緩衝能および／または再石灰化能を求め、この酸緩衝能および／または再石灰化能をパラメータとして用いて口腔内の健康維持能力を評価することを特徴としている（請求項１）。
【００１０】
パラメータが検体の酸緩衝能であり、この酸緩衝能を、炭酸イオンまたは炭酸水素イオンのイオン濃度と、リン酸イオン、リン酸水素イオン、リン酸二水素イオンのいずれかのイオン濃度とから求めるようにしてもよい（請求項２）。
【００１１】
パラメータが再石灰化能であり、この再石灰化能を、リン酸イオン、リン酸水素イオン、リン酸二水素イオンのいずれかのイオン濃度と、カルシウムイオンのイオン濃度とから求めるようにしてもよい（請求項３）。
【００１２】
検体に含まれるフッ化物イオンのイオン濃度を測定し、その測定値を再石灰化能の演算に加味してもよい（請求項４）。
【００１３】
第２発明の口腔内健康状態維持能力の評価方法は、被検者の口腔内の検体に含まれるリン酸イオン、リン酸水素イオン、リン酸二水素イオンのいずれかのイオン濃度と、炭酸イオンまたは炭酸水素イオンのイオン濃度と、カルシウムイオンのイオン濃度とを測定し、これらのイオン濃度から口腔内の健康維持能力を評価するパラメータを求めることを特徴としている（請求項５）。
【００１４】
検体のｐＨを測定し、この測定値によって、リン酸イオン、リン酸水素イオン、リン酸二水素イオン、炭酸イオン、炭酸水素イオンのイオン濃度を補正してもよい（請求項６）。
【００１５】
第３発明の口腔内健康維持能力の評価装置は、検体に接触させることによってこれに含まれる複数の異なるイオンのイオン濃度をそれぞれ測定する測定部と、測定部によって測定された各イオン濃度の測定値から検体の酸緩衝能および／または再石灰化能を求め、この酸緩衝能および／または再石灰化能をパラメータとして用いて口腔内の健康維持能力を評価するための演算処理を行う演算処理部とを有することを特徴としている（請求項７）。
【００１６】
第４発明の口腔内健康状態維持能力の評価装置は、検体に接触させることによってこれに含まれるリン酸イオン、リン酸水素イオン、リン酸二水素イオンのいずれかのイオン濃度、炭酸イオンまたは炭酸水素イオンのイオン濃度、カルシウムイオンのイオン濃度をそれぞれ測定する測定部と、測定部によって測定された各イオン濃度の測定値から口腔内の健康維持能力を評価するパラメータを求める演算処理部とを有することを特徴としている（請求項８）。
【００１７】
前記測定部はイオンセンサによって構成されてもよい。そして、イオンセンサを口腔内健康維持能力の評価装置の本体に対して着脱自在として、イオンセンサを使い捨て可能としてもよい。
【００１８】
なお、イオンセンサはイオン選択性の電極を有するものであり、例えばガラス電極に代表される固体膜式電極であってもよいし、ポリビニルクロライド（ＰＶＣ膜）、シリコンゴム（ＲＴＶ膜）、ポリウレタン（ＰＵ膜）、あるいはこれらを組み合わせたイオン選択性膜の中に固定化したイオノフォアに代表される液膜式電極を適宜組み合わせた電極であってもよい。つまり、イオンセンサとしてゲート部を上記イオン選択性膜で修飾したイオン感応性電界効果トランジスタ（ＩＳＦＥＴ:Ion Sensitive Feild Effect Transister) や、イオン選択性電極（ＩＳＥ：Ion Selective Electrode)などを用いてもよい。
【００１９】
また、イオンセンサとして各成分に対応するイオン感応膜（イオノフォアを担持させた膜）を異なる位置に形成してなる光アドレス電位センサ（ＬＡＰＳ：Light-Addressable Potentiometric Sensor 。特開平８−２１３５８０号参照) を応用したものなどを用いてもよい。
【００２０】
測定部が、検体に含まれるリン酸イオン、リン酸水素イオン、リン酸二水素イオンのいずれかのイオン、炭酸イオンまたは炭酸水素イオン、カルシウムイオンのそれぞれに反応して各イオンのイオン濃度に応じて光学的特性が変化する指示薬を検体と接触させる指示薬接触領域と、この指示薬接触領域における光学的特性の変化を検出する光検出器と、この光検出器によって検出した指示薬接触領域における光学的特性の変化からイオン濃度を求める濃度演算部を備えていてもよい（請求項９）。
【００２１】
パラメータが検体の酸緩衝能であり、前記演算処理部が、酸緩衝能を、炭酸イオンまたは炭酸水素イオンのイオン濃度と、リン酸イオン、リン酸水素イオン、リン酸二水素イオンのいずれかのイオン濃度とから求めるものであってもよい（請求項１０）。
【００２２】
パラメータが再石灰化能であり、前記演算処理部が、再石灰化能を、リン酸イオン、リン酸水素イオン、リン酸二水素イオンのいずれかのイオン濃度と、カルシウムイオンのイオン濃度とから求めるものであってもよい（請求項１１）。
【００２３】
前記測定部は検体に含まれるフッ化物イオンのイオン濃度を測定することができると共に、前記演算処理部が、フッ化物イオンのイオン濃度の測定値を再石灰化能の演算に加味して求めるものであってもよい（請求項１２）。
【００２４】
前記測定部に検体のｐＨを求めるｐＨ測定部が形成されてなり、演算処理部が、ｐＨの測定値によって、リン酸イオン、リン酸水素イオン、リン酸二水素イオン、炭酸イオン、炭酸水素イオンのイオン濃度を補正するものであってもよい（請求項１３）。
【発明の効果】
【００２５】
請求項１に記載の口腔内健康維持能力の評価方法は、従来のように検体に適当な酸を接触させた後に、その結果生じるｐＨの変化を測定するのではなく、検体の酸緩衝能および／または再石灰化能を求めるために必要な成分として、検体に含まれる複数の異なるイオンのイオン濃度を測定し、これらのイオン濃度から検体の酸緩衝能および／または再石灰化能を求め、この酸緩衝能および／または再石灰化能をパラメータとして用いて口腔内の健康維持能力を評価するものである。
【００２６】
つまり、前記パラメータの値はこれに関係する検体の各成分の濃度から直接的に評価したものであるから、検体が持つ性状を正しくに評価することができる。また、従来のように酸緩衝能を正しく測定するために適当な濃度および種類の酸を選択する必要もない。
【００２７】
また、本発明の口腔内健康維持能力の評価方法は、従来のように、酸を滴下して振盪器で反応促進させ、反応後のｐＨ値と酸のｐＨの差を計算してカリエスリスクを出すような測定を行うものではないから、検体による酸緩衝能を試して、その結果を測定するための十分な時間を待つ必要がない。つまり、それだけ高速に測定することができる。加えて、検体と反応させるための酸を別途用意する必要がないので、それだけランニングコストを引き下げることができる。そして、検体による口腔内健康維持能力の評価は酸緩衝能だけにとらわれることなく、検体の性状を適切なパラメータによって表わすことができる。
【００２８】
なお、前記パラメータは、酸緩衝能や再石灰化能などの複数の要因を多次元で示すものであってもよいが、口腔内健康維持能力の総合的な評価値を示すものであってもよい。また、検体の酸緩衝能および／または再石灰化能を求めるために必要な成分として、検体に含まれる複数の異なるイオンとしては、リン酸イオン、リン酸水素イオン、リン酸二水素イオン、炭酸イオン、炭酸水素イオン、カルシウムイオンのイオン濃度が考えられるが、これらに加えて、う蝕原因菌の代謝によって発生する他の物質の濃度を測定することによって、前記パラメータを口腔内健康状態維持能力の評価としてさらに適切な量としてもよい。
【００２９】
パラメータが検体の酸緩衝能であり、この酸緩衝能を、炭酸イオンまたは炭酸水素イオンのイオン濃度と、リン酸イオン、リン酸水素イオン、リン酸二水素イオンのいずれかのイオン濃度とから求めるようにした場合（請求項２）には、検体の酸緩衝能を求めるために必要な炭酸イオンまたは炭酸水素イオンのイオン濃度と、リン酸イオンまたはリン酸水素イオンまたはリン酸二水素イオンのイオン濃度を用いて、その酸緩衝能を迅速かつ正確に求めることにより、これを口腔内健康維持能力の適切な評価値とすることができる。この方法は、従来のような検体に適宜の酸を接触させてその酸緩衝能をいわば試して測定する方法に比べて、検体そのものが持つ性状をその他の条件に影響されることなく正確かつ迅速に測定しうる点において優れている。
【００３０】
パラメータが再石灰化能であり、この再石灰化能を、リン酸イオン、リン酸水素イオン、リン酸二水素イオンのいずれかのイオン濃度と、カルシウムイオンのイオン濃度とから求めるようにした場合（請求項３）には、検体の再石灰化能を求めるために必要なリン酸イオンまたはリン酸水素イオンまたはリン酸二水素イオンのイオン濃度を用いて、その再石灰化能を迅速かつ正確に求めることができる。つまり、虫歯原因菌によって歯牙から溶出したカルシウムやリン酸を再び歯質（エナメル質）中に取り込むことができれば、歯のう蝕を抑制することができるが、検体中に含まれるリン酸イオンまたはリン酸水素イオンまたはリン酸二水素イオンのイオン濃度とカルシウムイオンのイオン濃度を用いて検体の再石灰化能を求めることにより、これを口腔内健康維持能力の適切な評価値とすることができる。
【００３１】
検体に含まれるフッ化物イオンのイオン濃度を測定し、その測定値を再石灰化能の演算に加味する場合（請求項４）には、フッ化物イオンのイオン濃度によって前記再石灰化能を判断する上で大いに参考になる。フッ素は前記エナメル質を変質させて酸に強くするものである。したがって、例えば検体中に含まれるフッ化物イオンの濃度が大きい場合には、それだけ再石灰化能も大きいと判断することができる。
【００３２】
請求項５に記載の口腔内健康状態維持能力の評価方法は、口腔内の健康状態を維持するために必要な成分として、検体に含まれるリン酸イオン、リン酸水素イオン、リン酸二水素イオンのいずれかのイオン濃度と、炭酸イオンまたは炭酸水素イオンのイオン濃度と、カルシウムイオンのイオン濃度とを測定し、検体が持っている性状を口腔内健康維持能力のパラメータによって表わす方法である。
【００３３】
検体のｐＨを測定し、この測定値によって、リン酸イオン、リン酸水素イオン、リン酸二水素イオン、炭酸イオン、炭酸水素イオンのイオン濃度を補正する場合（請求項６）には、前記各イオンのうち比較的容易に測定できるイオン（例えばリン酸水素イオン、リン酸二水素イオン、炭酸水素イオン）の濃度を用いて、検体に含まれるリン酸イオン、炭酸イオンなどのイオン濃度や検体に溶け込んでいる全てのリン酸と炭酸の濃度を正確に求めることができる。
【００３４】
つまり、ｐＨの緩衝能を持つリン酸（Ｈ3 ＰＯ4 ）は電離によって、リン酸イオン（ＰＯ4 3-）、リン酸水素イオン（ＨＰＯ4 2-）、リン酸二水素イオン（Ｈ2 ＰＯ4 - ）などに変化するが、これらのリン酸を含むイオンのうち、測定しやすい少なくとも一つのイオン（ＨＰＯ4 2-やＨ2 ＰＯ4 - 等）の濃度を測定し、そのときのｐＨ値を用いて補正演算することにより、検体に含まれるリン酸イオンのイオン濃度やリン酸の総量を正確に求めることができる。同様に、ｐＨの緩衝能を持つ炭酸（Ｈ2 ＣＯ3 ）は電離によって、炭酸イオン（ＣＯ3 2-）、炭酸水素イオン（ＨＣＯ3 - ）などに変化するが、これらの炭酸を含むイオンのうち、比較的測定しやすい炭酸水素イオン（ＨＣＯ3 - ）の濃度を測定することにより、検体に含まれる炭酸イオンのイオン濃度や炭酸の総量を正確に求めることができる。
【００３５】
なお、ｐＨの測定値を用いた濃度の補正演算は、下記式（１）に示すようなHenderson-Hasselbalch の式を用いて行うことができる。また、リン酸イオンを測定するイオンセンサを形成する場合には、リン酸イオンの濃度およびｐＨを用いてリン酸の濃度を求めることもできる。
ｐＨ＝ｐＫａ＋ｌｏｇ（［Ａ- ］／［ＨＡ］）                        …  （１）
但し、Ｋａ：酸解離定数、Ａ- ：電離したイオンＡのイオン濃度、ＨＡ：物質ＨＡの濃度
【００３６】
請求項７に記載の口腔内健康維持能力の評価装置は、測定部において検体に含まれる複数の異なるイオンのイオン濃度を測定するので、これらのイオン濃度を用いて、検体が持っている性状に関係する検体の各成分の量から口腔内健康維持能力のパラメータを正しく求めることができる。
【００３７】
請求項８に記載の口腔内健康状態維持能力の評価装置は、測定部において検体に含まれるリン酸水素イオン、リン酸二水素イオンのいずれかのイオン濃度、炭酸イオンまたは炭酸水素イオンのイオン濃度、カルシウムイオンのイオン濃度をそれぞれ測定するので、口腔内の健康状態を維持するために必要なリン酸水素イオン、炭酸水素イオン、カルシウムイオンのイオン濃度を用いて、検体が持っている性状に関係する検体の各成分の量から口腔内健康維持能力のパラメータを正しく求めることができる。
【００３８】
なお、測定部が、検体に含まれるリン酸水素イオン、リン酸二水素イオンのいずれかのイオン濃度、炭酸イオンまたは炭酸水素イオンのイオン濃度、カルシウムイオンのイオン濃度のみならず、う蝕原因菌の代謝によって発生する物質の濃度をそれぞれ測定するものである場合には、前記パラメータを口腔内健康状態維持能力の評価により適切な量とすることもできる。
【００３９】
また、従来のように検体と反応させるための酸を別途用意したり、検体に酸を適量添加する工程を行う必要もないので、それだけ、ランニングコストを引き下げることができると共に、装置構成や測定に係わる制御部の構成を簡略化することができる。なお、前記パラメータは、従来のように検体の酸緩衝能だけにとらわれることがなく、検体の性状を表わす適切な量を用いることができる。また、前記パラメータは酸緩衝能などを含む複数の要因を多次元で示すものであってもよいが、口腔内健康維持能力の総合的な評価値を示すものであってもよい。
【００４０】
そして、測定部がイオンセンサによって構成される場合には、従来のように検体に何らかの試薬を接触させることがなく、それぞれ対応するイオンセンサを用いて各イオン濃度を測定するだけのワンステップの動作によって迅速に測定が完了する。加えて、検出部を容易に小型化することができ、この検出部を直接口腔内に挿入して検体と接触させるような測定を行うこともできる。そして、イオンセンサを口腔内健康維持能力の評価装置の本体に対して着脱自在として、イオンセンサを使い捨て可能とすることにより、衛生的に口腔内健康維持能力の評価を行うことができる。さらに、イオンセンサとしてＩＳＦＥＴやＩＳＥなどを用いることにより、測定部を容易に小型化することができる。
【００４１】
測定部が、検体に含まれるリン酸イオン、リン酸水素イオン、リン酸二水素イオンのいずれかのイオン、炭酸イオンまたは炭酸水素イオン、カルシウムイオンのそれぞれに反応して各イオンのイオン濃度に応じて光学的特性が変化する指示薬を検体と接触させる指示薬接触領域と、この指示薬接触領域における光学的特性の変化を検出する光検出器と、この光検出器によって検出した指示薬接触領域における光学的特性の変化からイオン濃度を求める濃度演算部とを備えている場合（請求項９）には、イオン濃度を指示薬接触領域の光学的特性の変化によって検出することにより、数値化されたイオン濃度を得ることができる。
【００４２】
前記指示薬を例えばテストストリップに含浸させた場合には、このテストストリップの指示薬を含浸させた部分が指示薬接触領域である。なお、テストストリップを用いることにより、一つのテストストリップにリン酸イオン、リン酸水素イオン、リン酸二水素イオンのいずれかのイオン、炭酸イオンまたは炭酸水素イオン、カルシウムイオン（加えて例えばｐＨ、フッ化物イオンなどがあってもよい）のそれぞれに対応する指示薬を含浸させてなる指示薬接触領域を並べて形成することも可能であり、この場合、前記複数のイオン濃度を一度に測定することができる。
【００４３】
一方、前記指示薬が検体に滴下されるものである場合には、適宜の容器内に収容した検体に指示薬を滴下した状態で、この容器内が指示薬接触領域である。この検体を収容する容器を用いて指示薬接触領域を形成する場合は、テストストリップを用いる場合に比べて基本となる色がないので、指示薬接触領域における光学的特性の変化を透過光や反射光などを用いてより正確に測定できる利点がある。
【００４４】
前記光検出器は、指示薬接触領域における光学的特性を検出できるものであればよく、少なくとも、その光学的特性として、前記イオン濃度によって強度が変化する特定波長の光をそれぞれ検出できるものである。すなわち、光検出器は前記特定波長の光を透過可能とする光学フィルタを備えた焦電型検出器や、ＣＣＤセンサや，Ｃ−ＭＯＳイメージセンサなどであってもよい。さらに、光検出器は分光器を備えて各波長の光の強度を詳細に検出できるようにしたものであってもよい。なお、本明細書における光とは可視光に限られるものではなく、遠赤外線から紫外線に至るまで、種々の波長の光を指している。
【００４５】
パラメータが検体の酸緩衝能であり、前記演算処理部が、酸緩衝能を、炭酸イオンまたは炭酸水素イオンのイオン濃度と、リン酸イオン、リン酸水素イオン、リン酸二水素イオンのいずれかのイオン濃度とから求めるものである場合（請求項１０）には、検体の酸緩衝能を求めるのに必要な炭酸イオンまたは炭酸水素イオンのイオン濃度と、リン酸イオンまたはリン酸水素イオンまたはリン酸二水素イオンのイオン濃度を用いて、検体そのものが持つ酸緩衝能をその他の条件に影響されることなく正確かつ迅速に測定できる。
【００４６】
パラメータが再石灰化能であり、前記演算処理部が、再石灰化能を、リン酸イオン、リン酸水素イオン、リン酸二水素イオンのいずれかのイオン濃度と、カルシウムイオンのイオン濃度とから求めるものである場合（請求項１１）には、検体の再石灰化能を求めるために必要なリン酸イオンまたはリン酸水素イオンまたはリン酸二水素イオンのイオン濃度とカルシウムイオンのイオン濃度を用いて、その再石灰化能を迅速かつ正確に求めることができる。
【００４７】
前記測定部は検体に含まれるフッ化物イオンのイオン濃度を測定することができると共に、前記演算処理部が、フッ化物イオンのイオン濃度の測定値を再石灰化能の演算に加味して求めるものである場合（請求項１２）には、フッ化物イオンのイオン濃度によって前記再石灰化能のパラメータを調整することができ、フッ素を用いた何らかの処置を行う場合にどの程度の効果が得られているのかを判断することができる。
【００４８】
前記測定部に検体のｐＨを求めるｐＨ測定部が形成されてなり、演算処理部が、ｐＨの測定値によって、リン酸イオン、リン酸水素イオン、リン酸二水素イオン、炭酸イオン、炭酸水素イオンのイオン濃度を補正するものである場合（請求項１３）には、前記各イオンのうち比較的容易に測定しうるイオン（例えばリン酸水素イオン、リン酸二水素イオン、炭酸水素イオン）の濃度を用いて、検体に含まれるリン酸イオン、炭酸イオンなどのイオン濃度や検体に溶け込んでいる全てのリン酸と炭酸の濃度を正確に求めることができる。
【発明を実施するための最良の形態】
【００４９】
図１は、本発明の口腔内健康維持能力の評価方法および評価装置の原理を説明するための概念図である。
【００５０】
図１において、１は口腔内健康維持能力の評価装置である。この口腔内健康維持能力の評価装置１は被検者の口腔内から採取した検体の一例としての唾液（歯垢などであってもよい）２を収容する容器３と、この容器３内の唾液２に接触させることにより複数の異なる電極（イオンセンサ）４ａ〜４ｅおよび比較電極４ｒを備えている測定部４と、この測定部４を用いて唾液２に含まれる複数のイオンのイオン濃度を求めて口腔内健康維持能力の評価値を求める演算処理部５と、各イオンのイオン濃度やこれによって求められる口腔内健康維持能力の評価値などを記憶する記憶装置６と、演算処理部５によって求められた口腔内健康維持能力の評価値などを表示する表示部７と、演算処理部５によって求められた口腔内健康維持能力の評価値などを外部の情報処理装置（図示していない）に送出する外部接続部８を備えている。
【００５１】
前記電極４ａ〜４ｅおよび４ｒは、例えばｐＨ測定電極４ａと、リン酸水素イオン，炭酸水素イオン，カルシウムイオン，フッ化物イオンのイオン濃度をそれぞれ測定する測定電極４ｂ，４ｃ，４ｄ，４ｅおよび比較電極４ｒとからなり、これらの測定電極４ａ〜４ｅおよび比較電極４ｒを用いて異なるイオンのイオン濃度を一度に電気的に測定することができるように構成されている。なお、本実施例に示すように、フッ化物イオンの濃度を測定する測定電極４ｅを設けることにより再石灰化能に係わる評価値のパラメータを得ることができるが、これを省略することもできる。逆に、酸緩衝能や再石灰化能、その他の特性を示す評価値のパラメータを得ることができる、別の成分の濃度を測定する測定電極を別途設けるようにしてもよい。
【００５２】
また、口腔内健康状態維持能力を評価するパラメータとして酸緩衝能だけを求める場合には、測定部が、リン酸水素イオンのイオン濃度と、炭酸水素イオンのイオン濃度だけを測定してもよい。同様に、口腔内健康状態維持能力を評価するパラメータとして再石灰化能だけを求める場合には、測定部が、リン酸水素イオンのイオン濃度と、カルシウムイオンのイオン濃度だけを測定してもよい。
【００５３】
測定電極４ａ〜４ｅの種類は種々考えられるが、ガラス電極に代表されるような固体膜式電極、イオノフォアを担持させた樹脂膜などの液膜式電極を適宜組み合わせたイオン電極、イオン感応膜によって修飾したイオン感応性電界効果トランジスタ、光アドレス電位センサなどが考えられる。何れにしても、リン酸および炭酸は、それぞれ、ｐＨの値に応じてリン酸二水素イオンとリン酸水素イオンとリン酸イオンおよび炭酸水素イオンと炭酸イオンに電離するものであるから、演算処理部５は、リン酸や炭酸の電離によって生じる各種イオンのイオン濃度とｐＨの測定値を用いて検体２に含まれるリン酸，炭酸の総量を求めるための補正演算を行うことができる。
【００５４】
前記演算処理部５は、リン酸水素イオンや炭酸水素イオンのイオン濃度を測定するために、ｐＨ測定電極４ａによって求められたｐＨの測定値を用いる。すなわち、リン酸水素イオン，炭酸水素イオンのイオン濃度をｐＨの測定値によって補正することにより、リン酸イオンやリン酸二水素イオンになっているものや、炭酸イオンになっているものを含めた正確なイオン濃度を得ることができる。
【００５５】
次いで、演算処理部５は、リン酸水素イオンと炭酸水素イオンのイオン濃度から唾液２の酸緩衝能を求め、リン酸水素イオンとカルシウムイオンのイオン濃度から唾液２の再石灰化能を求めることができる。これらの測定値や評価値を口腔内健康維持能力の評価を示すパラメータとして表示部７に表示する。また、各測定電極４ａ〜４ｅを用いて測定した各成分の濃度などの測定結果，評価値などを記憶装置６に記憶したり、必要により、外部接続部８を介して外部の情報処理装置に出力する。
【００５６】
なお、口腔内健康状態維持能力の評価装置１は必ずしも外部の情報処理装置と接続される必要はなく、スタンドアローン動作するものであってもよいことはいうまでもない。逆に測定部４、演算処理部５、記憶装置６、表示部７をネットワーク接続された複数の情報処理装置（コンピュータ）によって形成してもよいことはいうまでもない。
【００５７】
以下、前記測定部４の具体例を種々説明する。
【００５８】
図２は口腔内健康維持能力の評価装置１の第１実施例を示す図である。図２において、１０は口腔内健康維持能力の評価装置の本体を構成するパソコン、１１はこのパソコン１１に接続された通信ユニット、１２はこの通信ユニット１１を介してパソコン１０と通信可能であるハンディタイプの測定器、１３はこの測定器１２の先端部に着脱自在に構成された測定部（電極ユニット）である。
【００５９】
つまり、第１実施例の口腔内健康維持能力の評価装置１は、唾液２に含まれるリン酸、炭酸、カルシウム、フッ素の濃度をそれぞれ測定する電極ユニット１３を有する測定器１２が、電極ユニット１３によって測定された各成分の濃度の測定値から口腔内の健康維持能力を評価するパラメータを求める演算処理部５と、記憶装置６と、表示部７とを有するパソコン１０に、通信ユニット１１を介して無線通信（有線通信であってもよい）によって接続されたシステムとする例を示している。なお、パソコン１０と測定器１２との通信がＬＡＮ(Local Area Network)やＷＡＮ(Wide Area Network) を用いて行われてもよいことは言うまでもない。
【００６０】
本実施例の電極ユニット１３に形成される電極１４は、例えばＩＳＥを備えている複数の測定電極（イオンセンサ）１４ａ〜１４ｅと比較電極１４ｒとからなり、例えば容器３などに収容された唾液２または被検者の口腔内にある唾液に測定電極１４ａ〜１４ｅと比較電極１４ｒを接触させることにより、唾液２に含まれる各成分の濃度を測定するものである。より具体的には、測定電極１４ａはｐＨ電極、１４ｂはリン酸水素イオンの測定電極、１４ｃは炭酸水素イオンの測定電極、１４ｄはカルシウムイオンの測定電極、１４ｅはフッ化物イオンの測定電極、１４ｒは比較電極であり、各電極１４ａ〜１４ｅにはそれぞれの測定対象イオンに対応するイオン感応膜を形成してある。
【００６１】
本実施例のように、各測定電極１４ａ〜１４ｅをＩＳＥによって形成することにより電極ユニット１３を小さく、安価に形成することができる。つまり、これによって電極ユニット１３を直接被検者の口腔内に挿入しうるようにしたり、使い捨て（ディスポーサブル）とすることもできる。
【００６２】
前記測定器１２は、例えば電極ユニット１３を挿脱可能とする接続部１２ａと、測定ボタン１２ｂと、測定状態を表示する表示部１２ｃとを備えている。したがって、歯科医師などの診察者は接続部１２ａに電極ユニット１３を接続して、この電極ユニット１３の電極１４を被検者の口腔内、または、被検者の口腔内から採取して容器３に移した状態で、唾液２に接触させて、測定ボタン１２ｂを操作する。このとき、唾液２を被検者から採取する場合に、必要に応じて分泌促進ガムを使用することもできる。測定が正常に行われると、これを表示部１２ｃに表示すると共に、測定値が通信ユニット１１を介してパソコン１０に送信される。
【００６３】
次いで、パソコン１０内の演算処理部５は、測定器１２から得られた各測定値を演算処理して口腔内健康維持能力の評価値を表示部７などに出力する。本実施例のように構成された口腔内健康維持能力の評価装置１は、極めて短時間に的確な口腔内健康維持能力の評価を行うことができると共に、電極ユニット１３を使い捨てとすることにより、衛生的である。本実施例に最適な電極はＩＳＥであることが、小型化と生産コストの削減を両立できる点で好ましいが、イオン選択性電界効果トランジスタ（ＩＳＦＥＴ）であっても、ガラス電極に代表されるような固体膜式電極であっても、ＰＶＣ膜あるいはＲＴＶ膜あるいはＰＵ膜もしくはそれらの混合膜中に固定化したイオノフォアに代表される液膜式電極を適宜組み合わせてもよいことはいうまでもない。
【００６４】
図３は、図２に示す測定器１２の変形例を示す図である。図３において、１６は診察者の手に装着する手袋、１７はこの手袋の指先部（図示例では人指し指であるが、その他の指であってもよい）１６ａに取り付けられて図示を省略するが複数の測定電極１４ａ〜１４ｅを形成してなる測定部（電極ユニット）、１８は電極ユニットに配線１９によって着脱自在に接続される測定器である。また、測定器１８の表示部１８ａは診察者の手首の回転に対して動きが少ない部分（具体的には上腕部に近い箇所）に設けられている。
【００６５】
このように構成された口腔内健康維持能力の評価装置１を用いることにより、診察者は測定部１７が形成されている手袋１６を手に装着して、その指先部１６ａを被検者の口腔内に差し入れて測定部１７を指先の感覚で口腔内の唾液２に接触させることにより、その各成分を測定し、この測定器１２が図２に示すパソコン１０側に測定値を送信することにより、口腔内健康維持能力の評価値を得ることができる。この測定部１７を設けた手袋１６は使い捨てとすることもできるが、測定部１７を洗浄して消毒することにより再利用できるようにしてもよい。
【００６６】
図４は図３に示す測定部１７の変形例を示す図である。図４において、２０は前記手袋１６の代わりに測定に使用される、指先だけを被冠装着可能とする薄膜部材（指サック）である。そして、２１は使用時において指先からの抜け落ちを防止する脱落防止リングである。また、配線１９の先端部１９ａには前記測定器１８と着脱容易な端子１９ａを形成している。このように構成された指サック２０を用いることにより、診察者の手に対して測定部１７の着脱を容易に行うことができると共に、その製造コストも削減できるので、指サック２０および測定部１７を使い捨てとすることができる。
【００６７】
加えて、図３，４に示す例において、測定器１８に無線による給電およびデータ送信を行う給電・送信アンテナを組み込むことにより、測定器１８を小型化して手袋１６または指サック２０に一体的に取り付けるようにしてもよい。すなわち、いわゆるセンサ付きＩＣタグ化するようにしてもよい。
【００６８】
図５は本発明の口腔内健康維持能力の評価装置１の第２実施例を示す図である。図５において、３０は被験者の口腔内から採取した唾液２を収容可能に構成された凹部３０ａを形成してなるスティックタイプの評価装置、３１は凹部３０ａに収容された唾液２に含まれる各成分の濃度を測定するＬＡＰＳを応用した測定部（イオンセンサ）である。
【００６９】
前記測定部３１は、例えば、凹部３０ａの下面を形成するように配置しＭＩＳ（金属Ｍ−絶縁体Ｉ−半導体Ｓ）構造のセンシング部を形成してなる半導体基板３２と、この半導体基板３２の異なる位置に配置されて測定対象となっている各成分に感応するイオノフォアを担持させてなるイオン感応膜３３ａ〜３３ｅと、これらのイオン感応膜３３ａ〜３３ｅに相当する半導体基板３２の裏面からプローブ用の光を照射するための光源３４ａ〜３４ｅと、これらの光源３４ａ〜３４ｅを択一的に点灯可能に構成された光源制御部３５と、唾液２に浸漬される動作電極３６および比較電極３７と、両電極３６，３７に接続されるポテンショスタット３８と、半導体基板３２に形成されたオーミック電極３２ａから取り出される電流の大きさを電圧信号に変換する電流−電圧変換器３９とを備えている。
【００７０】
このように構成されたスティックタイプの評価装置３０を用いる場合には、診察者はスポイド２ａのようなものを用いて被検者の口腔内から唾液２を採取して、これを凹部３０ａに収容し、図外の測定ボタンを操作する。
【００７１】
演算処理部５は、ポテンショスタット３８を用いて半導体基板３２にバイアス電圧を印加し、光源制御部３５を用いて光源３４ａ〜３４ｅを一つずつ点灯させることにより、点灯させた光源に対応するイオン感応膜３３ａ〜３３ｅによって唾液２に含まれる一つの成分の濃度に応じた光キャリアの電流が発生し、これを電流−電圧変換器３９を介して検出することができる。
【００７２】
すなわち、例えばイオン感応膜３３ａ〜３３ｅとして、それぞれ、水素イオン（プロトン）、リン酸水素イオン、炭酸水素イオン、カルシウムイオン、フッ化物イオンに選択的に感応するものを用いることにより、この測定部３１を用いて、唾液２に含まれる上述の各成分のイオン濃度を順次測定することができる。なお、その他の点については、図１〜４を用いて既に説明したものとほぼ同じであるから、その詳細な説明を省略する。
【００７３】
図６は本発明の口腔内健康維持能力の評価装置１の第３実施例を示す図である。図６において、４０は被験者の口腔内から採取した唾液２を注入可能に構成された漏斗部４０ａを形成してなるフロースルータイプの評価装置、４１は漏斗部４０ａに収容された唾液２に含まれる各成分の濃度を測定するμＴＡＳ(Micro Total Analysis System：微小化学分析システム）技術を応用した測定部（イオンセンサ）である。
【００７４】
前記測定部４１は、例えばマイクロマシニング技術を用いて形成され、唾液２を挿通できるように構成されたマイクロ流路４２と、このマイクロ流路４２の内面に面するように各種イオンの感応膜を形成したイオン選択性電極（ＩＳＥ）４３ａ〜４３ｅと、比較電極４３ｒとを設けてなる。４４はマイクロ流路４２内を唾液２が流すように設けたポンプ、４５は廃液を回収する容器、４６はスポイド４６ａを用いて供給される洗浄液である。
【００７５】
なお、各ＩＳＥ４３ａ〜４３ｅは、例えば、ｐＨ、リン酸水素イオン、炭酸水素イオン、カルシウムイオン、フッ化物イオンの濃度をそれぞれ測定するものである。また、その他の構成については図１〜図５を用いて説明したものとほぼ同じであるから、その詳細な説明を省略する。
【００７６】
このように構成されたフロースルータイプの評価装置４０を用いることにより、複数の被験者の口腔内から採取した唾液２を測定することができる。すなわち、検査者が唾液２を漏斗部４０ａに滴下した状態で測定を開始すると、演算処理部５がポンプ４４を駆動することにより、漏斗部４０ａの唾液２がマイクロ流路４２に引き込まれて各ＩＳＥ４３ａ〜４３ｅおよび比較電極４３ｒが唾液２に接触する。次いで、各ＩＳＥ４３ａ〜４３ｅを用いて、それぞれ対応するイオンの濃度を測定し、口腔内健康維持能力の評価値を求めることができる。
【００７７】
上記フロースルータイプの評価装置４０では、一つの検体を測定した後、別の検体の測定を行なう際には、マイクロ流路４２に洗浄液４６を挿通させる。このようにすることにより、マイクロ流路４２が洗浄され、いわゆるコンタミネーションによる測定誤差を防止することができる。
【００７８】
図７は本発明の口腔内健康維持能力の評価装置１の第４実施例を示す図である。図７において、５０は指示薬を含浸させたテストストリップ５１を用いる試薬比色タイプの評価装置である。前記テストストリップ５１には、唾液２のｐＨや唾液２に含まれるリン酸水素イオン、炭酸水素イオン、カルシウムイオン、フッ化物イオンと接触することにより光学的特性が変化する指示薬を含浸させた指示薬接触領域５２ａ〜５２ｅ（全体をまとめて指示薬接触領域５２ともいう）と、各指示薬接触領域５２ａ〜５２ｅの位置を示すマーク５３ａ〜５３ｅとを形成している。
【００７９】
また、５４は前記指示薬接触領域５２を撮像可能に構成されたＣＣＤカメラなどの光検出器、５５はＣＣＤカメラ５４によって撮像した画像データを元に、各イオンの濃度を求める濃度演算プログラムを実行可能に構成された処理部（以下、この濃度演算ログラム５５を実行する処理部を濃度演算部５５という）である。
【００８０】
つまり、本実施例の測定部５６は指示薬接触領域５２とＣＣＤカメラ５４と濃度演算部５５とを備えている。そして、各マーク５３ａ〜５３ｅ間の指示薬接触領域５２ａ〜５２ｅにおける色の変化をＣＣＤカメラ５４によって撮像し、これを濃度演算部５５によって標準の値と比較することにより、各イオンのイオン濃度を測定することができる。なお、５は測定部５６によって求められたイオン濃度を用いて口腔内健康維持能力の評価パラメータを求める演算処理を行う演算処理部５であり、この演算処理部５と濃度演算部５５は一つのＣＰＵ内で実行される異なる演算処理プログラムによって構成されていてもよい。
【００８１】
なお、本実施例のように光検出器５４としてＣＣＤカメラを用いることにより、複数の指示薬接触領域５２ａ〜５２ｅの光学的特性を同時に検出することができるが、光検出器５４は指示薬接触領域５２ａ〜５２ｅにおける各イオンの濃度に応じて生じる光学的特性の変化が検出できるものであれば光学フィルタを用いたものや分光分析するものであってもよい。
【００８２】
さらに、本実施例では指示薬をテストストリップ５１に含浸させて指示薬接触領域５２を形成する例を示しているが、被験者から採取した唾液２を容器に入れた状態で、指示薬を添加するようにして指示薬接触領域５２を形成してもよい。この場合、唾液２と指示薬を混合した部分（容器内）が指示薬接触領域５２であり、光検出器５４は反射光のみならず透過光を用いて、その光学的特性を検出するものであってもよい。
【００８３】
図２〜図７に具体的に示した実施例において、演算処理部５は、リン酸イオンまたはリン酸水素イオンまたはリン酸二水素イオンのイオン濃度と、炭酸イオンまたは炭酸水素イオンのイオン濃度を用いて唾液２の酸緩衝能の評価値を求め、リン酸イオンまたはリン酸水素イオンまたはリン酸二水素イオンのイオン濃度とカルシウムイオンのイオン濃度を用いて再石灰化能の評価値を求めることができるのであるが、これらを口腔内健康維持能力の評価を示す各パラメータとして、表示部７に例えば二次元グラフにして表示させることができる。
【００８４】
図８は表示部７に表示させる口腔内健康維持能力の評価の一例を示す図である。図８において横軸は再石灰化能、縦軸は酸緩衝能を示しており、酸緩衝能と再石灰化能の値が円６０の内部に位置する時に、これを口腔内健康維持能力が普通であると評価することができる。一方、再石灰化能が低い（左側である）場合にも、斜線６１より上であるときにう蝕しにくいと評価し、斜線６１より下であって酸緩衝能が高い（上半分である）場合に修復しにくい、酸緩衝能が低い（下半分である）場合にリスク高いと評価することができる。さらに、再石灰化能が高い（右側である）場合には、斜線６１よりも下であるときにう食しやすいと評価し、斜線６１よりも上で酸緩衝能が低い（下半分である）場合に修復しやすいと評価し、酸緩衝能が高い（上半分である）場合にリスク低いと評価することができる。
【００８５】
さらに、口腔内健康維持能力の評価値の表示方法として、唾液の酸緩衝能、再石灰化能などのパラメータに加えて問診などで得られた生活習慣データも別のパラメータにして、まとめて示せるようにするレーダチャートとしてもよい。また、口腔内健康維持能力の評価値として各パラメータに重み付けをして総合評価値としての一つの数値を求めて、この数値、表、モノクロまたはカラーのバーグラフで表示してもよい。
【００８６】
また、口腔内健康維持能力の評価値（パラメータ）などの結果は、記憶装置６に記録したり、必要に応じて外部の演算処理部やデータベースにネットワーク等を用いて転送し、データの登録交換などを行ってもよい。
【００８７】
加えて、う蝕原因菌であるミュータンスレンサ球菌などの菌数チェックや、口腔内常在菌種・数量チェックの結果と組み合わせることにより、一層の口腔内健康維持能力の評価を行うようにしてもよい。また、口腔内健康度には歯のう蝕以外の歯周病などのチェックも含まれている。この場合、バイオセンサなどに代表される歯周病マーカを用いることができる。
【００８８】
上記各実施例では、検体におけるリン酸水素イオン、炭酸水素イオン、カルシウムイオン、ｐＨ、フッ化物イオンの各イオン濃度を測定するものであったが、リン酸水素イオン濃度に代えてリン酸イオンまたはリン酸二水素イオン濃度を測定してもよく、そして、炭酸水素イオンに代えて、炭酸イオンの濃度を測定してもよい。また、リン酸イオン，リン酸水素イオン，リン酸二水素イオンのうち２つ以上のイオン濃度をそれぞれ測定したり、炭酸イオンと炭酸水素イオンの両方のイオン濃度をそれぞれ測定してもよい。さらに、フッ化物イオン濃度は必ずしも測定しなくてもよい。さらに、診察者は医師や看護師など第三者だけに限られるものではなく、被検者自身であってもよい。
【図面の簡単な説明】
【００８９】
【図１】本発明の口腔内健康維持能力の評価装置の構成を概略的に示す図である。
【図２】口腔内健康維持能力の評価装置の第１実施例を示す図である。
【図３】第１実施例の口腔内健康維持能力の評価装置の変形例を示す図である。
【図４】第１実施例の口腔内健康維持能力の評価装置の別の変形例を示す図である。
【図５】口腔内健康維持能力の評価装置の第２実施例を示す図である。
【図６】口腔内健康維持能力の評価装置の第３実施例を示す図である。
【図７】口腔内健康維持能力の評価装置の第４実施例を示す図である。
【図８】口腔内健康維持能力の評価値の表示例を示す図である。
【符号の説明】
【００９０】
１    口腔内健康維持能力の評価装置
２    検体
４ａ〜４ｅ、１４ａ〜１４ｅ  イオンセンサ
４，１４，１７，３１，４１，５６  測定部
５    演算処理部
５２（５２ａ〜５２ｅ）  指示薬接触領域
５４  光検出器
５５  濃度演算部
【図１】
2005331341.tif 000003
【図２】
2005331341.tif 000004
【図３】
2005331341.tif 000005
【図４】
2005331341.tif 000006
【図５】
2005331341.tif 000007
【図６】
2005331341.tif 000008
【図７】
2005331341.tif 000009
【図８】
2005331341.tif 000010